(57)【特許請求の範囲】
【請求項１】
台脚に立設した支筒内に、垂直支持軸をその軸線回りに回転自在として支持し、前記垂直支持軸の上部に座部等を支持する取付体を設け、前記垂直支持軸を覆う筒状のカバーを、前記取付体の下面板に固定した椅子等の回転装置において、
前記取付体の下面板に、広幅部と狭幅部とが前記垂直支持軸を中心とする円周方向に連続するようにした段付き係合孔を、前記垂直支持軸を中心とする円周上に複数個穿設し、かつ前記筒状のカバーに、その上端面から上方に突出する軸部と、この軸部の上部から外向きに突出する爪部と、この爪部の下方において、この爪部よりも短く前記軸部から外向きに突出するリブとを備え、かつ段付き係合孔に嵌合する前の前記リブと軸部との全体の幅を、段付き係合孔の狭幅部の幅より大とした複数の係合爪を突設し、この係合爪を、前記段付き係合孔に挿入して、その狭幅部に係合させたことを特徴とする椅子等の回転装置。
【請求項２】
段付き係合孔の広幅部を大径の丸孔とし、かつ狭幅部を、前記丸孔の一部から垂直支持軸を中心とする円周方向に延出する長孔とした請求項１記載の椅子等の回転装置。
【請求項３】
垂直支持軸をガススプリングとし、このガススプリングの最大伸長時において、筒状のカバーが少なくとも支筒の上部と重なり合うようにした請求項１または２記載の椅子等の回転装置。
【請求項４】
係合爪が取付体の下面板の段付き係合孔の狭幅部に係合した状態において、前記カバーの上端面が前記下面板の下面に当接するようにした請求項１〜３のいずれかに記載の椅子等の回転装置。
【請求項５】
筒状のカバーの上端に、取付体の側面と係合しうる上向き突起を設けた請求項１〜４のいずれかに記載の椅子等の回転装置。
【請求項６】
係合爪の爪部の下面を、カバーの取付体への係合時の回転方向に向かって上向き傾斜する傾斜面とした請求項１〜５のいずれかに記載の椅子等の回転装置。
【発明の詳細な説明】
【０００１】
【発明の属する技術分野】
本発明は、椅子の台脚に立設した支筒内に、座部等を支持する垂直支持軸を回転自在に設け、その周りをカバーにより覆った椅子等の回転装置に関する。
【０００２】
【従来の技術】
椅子の台脚に立設された支筒内に、ガススプリング等の垂直支持軸を回転し得るように支持した椅子等の回転装置においては、ガススプリング等の垂直支持軸が露出していると、見苦しくて体裁が悪く、かつこれに衣服等が触れて汚れるおそれがあるので、ガススプリング等の垂直支持軸は、外筒をもって覆われている。
【０００３】
その従来技術としては、例えば、実公昭50−17521号公報に記載のように、椅子の座席等の取付体にカバーを固着したものや、実公昭62-4202号公報に記載のように、ガススプリングの上部にカバーを吊支したもの等が知られている。
【０００４】
【発明が解決しようとする課題】
上述の従来技術の前者のように、取付体にカバーを固着したものでは、カバーを取り付ける作業が甚だ面倒であり、かつ取り付け時の歪みやブレ等のために、カバーが傾斜したり、側方移動したりして、支筒に接触し、座席等の回転昇降時に不快音を発したり、作動が不円滑となったりするおそれがある。
【０００５】
同じく後者のように、ガススプリングの上部にカバーを吊支したものでは、カバーを吊支するため、ガススプリングの上部に段部を形成しなければならず、取り付けられるガススプリングの種類が限られ、また吊支しただけであるため、カバーがぐらつくという欠点がある。
【０００６】
本発明は、カバーの取り付けを簡単に行え、かつカバーを取り付けた後に、ぐらつくことがなく、またカバーが傾斜したりして支筒に接触することがないように、確実な取り付けを行うことができるようにした椅子等の回転装置を提供することを目的としている。
【０００７】
【課題を解決するための手段】
本発明によると、上記課題は、次のようにして解決される。
(１)  台脚に立設した支筒内に、垂直支持軸をその軸線回りに回転自在として支持し、前記垂直支持軸の上部に座部等を支持する取付体を設け、前記垂直支持軸を覆う筒状のカバーを、前記取付体の下面板に固定した椅子等の回転装置において、前記取付体の下面板に、広幅部と狭幅部とが前記垂直支持軸を中心とする円周方向に連続するようにした段付き係合孔を、前記垂直支持軸を中心とする円周上に複数個穿設し、かつ前記筒状のカバーに、その上端面から上方に突出する軸部と、この軸部の上部から外向きに突出する爪部と、この爪部の下方において、この爪部よりも短く前記軸部から外向きに突出するリブとを備え、かつ段付係合孔に嵌合する前の前記リブと軸部との全体の幅を、段付き係合孔の狭幅部の幅より大とした複数の係合爪を突設し、この係合爪を、前記段付き係合孔に挿入して、その狭幅部に係合させる。
【０００８】
(２)  上記(１)項において、段付き係合孔の広幅部を大径の丸孔とし、かつ狭幅部を、前記丸孔の一部から垂直支持軸を中心とする円周方向に延出する長孔とする。
【０００９】
(３)  上記(１)または(２)項において、垂直支持軸をガススプリングとし、このガススプリングの最大伸長時にも、筒状のカバーが少なくとも支筒の上部と重なり合うようにする。
【００１０】
(４)  上記(１)〜(３)項のいずれかにおいて、係合爪が取付体の下面板の段付き係合孔の狭幅部に係合した状態において、前記カバーの上端面が前記下面板の下面に当接するようにする。
【００１１】
(５)  上記(１)〜(４)項のいずれかにおいて、筒状のカバーの上端に、取付体の側面と係合しうる上向き突起を設ける。
【００１２】
(６)  上記(１)〜(５)項のいずれかにおいて、係合爪の爪部の下面を、カバーの取付体への係合時の回転方向に向かって上向き傾斜する傾斜面とする。
【００１３】
【発明の実施の形態】
以下、本発明（全請求項に記載の発明）を、座部が回転し得る椅子に適用した実施例を、添付図面を参照しながら説明する。
【００１４】
(１)は、４〜５本の脚杆（図１では２本のみ図示）(1a)の基端部を連結することにより、平面視で放射状をなすように一体成形した台脚で、各脚杆(1a)の先端部には、キャスター(２)が設けられている。
【００１５】
台脚(１)の中心部を上下方向に貫通する取付孔(３)には、はぼ円筒形の支筒(４)の下部が嵌合されている。取付孔(３)の内面と支筒(４)の下部外面は、ともに下方に向かって僅かに縮径する下向テーパ面となっており、支筒(４)の荷重を台脚(１)により受けることができるようにしてある。
【００１６】
支筒(４)の内部には、垂直支持軸、例えば公知のガススプリング(５)の大部分が収容されており、その可動部(5a)は、支筒(４)の上端より上方に突出している。
【００１７】
ガススプリング(５)の可動部(5a)の上部に設けた押しボタン(5b)を押すと、可動部(5a)は、支筒(４)に対して上下方向に伸縮することができる（図１は、ガススプリング(５)の最大短縮時の状況を示している）。
可動部(5a)は、支筒(４)内に固定した保持部（図示略）に対して、垂直軸まわりに自由に回転することができるようになっている。
【００１８】
ガススプリング(５)の可動部(5a)の上端部外周は、上方に向かって僅かに縮径する上向テーパ面としてある。
上部に座部（図示略）などを支持する取付体(６)の下面板(6a)のほぼ中央に、テーパ状の取付孔(７)を有する支持ブロック(８)が溶接により固定されている。この支持ブロック(８)のテーパ状の取付孔(７)に、ガススプリング(５)の可動部(5a)の上端部を差し込んで係合させてある。
【００１９】
図２に示すように、取付体(６)の下面板(6a)には、取付孔(７)と同心の円周上に、段付き係合孔(９)が４つ等間隔に穿設されている。この段付き係合孔(９)は、比較的大きな径の丸孔とした広幅部(9a)と、この広幅部(9a)からガススプリング(５)を中心とする円周方向に延びる比較的幅の狭い長孔状とした狭幅部(9b)とからなるダルマ状孔としてある。
【００２０】
これら段付き係合孔(９)が配列されている円周は、支筒(４)を覆う筒状のカバー(10)の直径に見合うものであり、図２に想像線により示すように、取付体(６)の両側部では、このカバー(10)の上端部がはみ出す関係としてある。
【００２１】
筒状のカバー(10)は、ガススプリング(５)の最大伸長時にも、支筒(４)と重なり合うに充分な長さを有するもので、その上端部には、４つの段付き係合孔(９)に係合しうる４個の係合爪(11)が上向きに突設されている。
【００２２】
図４に示すように、係合爪(11)は、カバー(10)の上端面から突出する軸部(11a)と、この軸部の上部で外向きに突出する爪部(11b)と、軸部(11a)から外向きに突出するが爪部(11b)よりも低い、比較的低寸のリブ(11c)とからなり、爪部(11b)の下面からカバー(10)の上端面との間の長さ、すなわちリブ(11c)の長さは、取付体(６)の下面板(6a)の厚さとほぼ等しくしてある。なお、爪部(11b)の下面(11d)は、図４に示すように、カバー(10)の取付体(６)への係合時の回転方向に向かってわずかに上向き傾斜させておくのがよい。
【００２３】
図３に示すように、カバー(10)の上端面における係合爪(11)(11)の中間には、直径方向に対向する短寸の上向き突起(12)(12)が２個突設されている。
【００２４】
カバー(10)を取付体(６)の下面板(6a)に取り付けるに当たっては、まずカバー(10)の上端部に突設された２個の突起(12)(12)のほぼ中央が、図５に想像線で示すように、取付体(６)の両側下線に当接するようにして、４つの係合爪(11)を、下面板(6a)の４つの段付き係合孔(９)の広幅部(9a)に嵌合し、カバー(10)の全体を、下面板(6a)に向けて強く押しつけながら、図５に矢印により示す円周方向に回動させる。
【００２５】
これにより、各係合爪(11)における低寸のリブ(11c)の一部が、段付き係合孔(９)の小径の段部(9b)に食い込むように変形または圧潰されて、係合爪(11)は係止される。この状態においては、下面板(6a)の上下面に、各係合爪(11)の下面及びカバー(10)の上端面が当接するとともに、両突起(12)が取付体(６)の両側面に当接して回り止めされ、カバー(10)は取付体(６)の下面に強固に保持される。
【００２６】
【発明の効果】
請求項１記載の発明によれば、次のような効果が奏せられる。
段付き係合孔の狭幅部と係合爪とが係合するので、カバーを、取付体に簡単にしかもしっかりと吊支することができるとともに、カバーを支筒に対して正確に同心に重合させることができる。そのため、取付後、カバーがぐらつくことがなく、したがって回転時に不快音が発生しない。また、カバーを取付時とは逆の方向に回動させると、取付体から簡単に取り外すことができる。
【００２７】
また、係合爪を、カバーの上端面から上方に突出する軸部と、この軸部の上部から外向きに突出する爪部と、この爪部の下方において、この爪部よりも短く前記軸部から外向きに突出するリブとを備えるものとし、かつ段付き係合孔に嵌合する前の前記リブと軸部との全体の幅を、段付き係合孔の狭幅部の幅より大としてあるから、取付体に対するカバーのがたつきは防止される。
【００２８】
請求項２記載の発明によると、段付き係合孔の広幅部を大径の丸孔とし、かつ狭幅部を、前記丸孔の一部から垂直支持軸を中心とする円周方向に延出する長孔としてあるから、プレス加工により容易に段付き係合孔を穿設することができる。
【００２９】
請求項３記載の発明によると、垂直支持軸をガススプリングとし、このガススプリングの最大伸長時にも、筒状のカバーが少なくとも支筒の上部と重なり合うようにしてあるから、ガススプリングの伸縮範囲の全範囲で、カバーによりガススプリングを覆い隠すことができる。
【００３０】
請求項４記載の発明によると、係合爪が取付体の下面板の段付き係合孔の段部に係合した状態において、前記カバーの上端面が前記下面板の下面に当接するようにしてあるから、取付体に対してカバーが傾斜して取り付けられるのが防止される。
【００３１】
請求項５記載の発明によると、筒状のカバーの上端に、取付体の側面と係合しうる上向き突起を設けてあるから、取り付け後のカバーを回り止めして、カバーが妄りに外れるのが防止される。
【００３２】
請求項６記載の発明によると、係合爪の爪部の下面を、カバーの取付体への係合時の回転方向に向かって上向き傾斜する傾斜面としてあるから、係合爪が取付体に対して締り勝手となって、取付体へのカバーの密接性がよくなり、カバーのがたつき等は防止される。
【図面の簡単な説明】
【図１】本発明の一実施例を備えた椅子の要部の縦断正面図である。
【図２】図１に示した椅子の取付体の拡大平面図である。
【図３】図１に示した椅子のカバーの上部の拡大斜視図である。
【図４】図３に示したカバーの係合爪の拡大斜視図である。
【図５】カバーの係合爪と取付体の段付き係合孔との結合過程を説明する説明図である。
【符号の説明】
(１)台脚
(２)キャスタ−
(３)取付孔
(４)支筒
(５)ガススプリング（垂直支持軸）
(5a)可動部
(5b)押しボタン
(６)取付体
(6a)下面板
(７)取付孔
(８)支持ブロック
(９)段付き係合孔
(9a)広幅部
(9b)狭幅部
(10)カバー
(11)係合爪
(11a)軸部
(11b)爪部
(11c)リブ
(11d)下面
(12)突起
【図１】
0003584414.tif 000002
【図２】
0003584414.tif 000003
【図３】
0003584414.tif 000004
【図４】
0003584414.tif 000005
【図５】
0003584414.tif 000006